(57)【要約】【課題】  サブフレーム周波数を高くすることなく、十分な時間の画像表示が可能で、かつ色割れ低減する液晶表示装置を提供する。【解決手段】液晶パネル２に形成されている複数の走査線にライン飛越信号を出力し、外部から入力される映像信号の１フレームを赤、緑、青サブフレームの３つに分割するとき、飛越走査を行って、第１フレームでは、赤青サブフレームのとき、走査信号が奇数の走査線を走査するようにし、緑サブフレームのとき、走査信号が偶数の走査線を走査するようにし、第２フレームでは、赤青サブフレームのとき、走査信号が偶数の走査線を走査するようにし、緑サブフレームのとき、走査信号が奇数の走査線を走査するように、赤色、緑色、青色の表示データに同期した制御信号を出力する制御信号発生回路５を備えている。【選択図】      図１
2008033107.tif 000002
【特許請求の範囲】
【請求項１】
基板上に縦横に形成された複数のデータ線と複数の走査線との交差部に設けられ、ソースが各データ線に、ゲートが各走査線に接続された複数のトランジスタと前記複数のトランジスタのソースを介して前記データ線から供給される前記赤色、前記緑色、前記青色の表示データの電圧により光透過率が変化する液晶層とを有する液晶パネルと、前記各データ線を介して前記赤色、前記緑色、前記青色の表示データを前記複数のトランジスタのソースに供給するソースドライバと、前記各走査線を介して走査信号を前記複数のトランジスタのゲートに供給するゲートドライバと、前記赤色、前記緑色、前記青色の表示データに同期して３原色光のいずれかをバックライトから発光させるバックライト駆動回路とを備えた液晶表示装置において、
前記赤色、前記緑色、前記青色の表示データの基になる外部から入力される映像信号のフレーム間の動き量を検出して動画であるか静止画であるかを判定する動きレベル判定器と、
前記映像信号が動画である場合には、前記映像信号のフレーム周波数を１２０ヘルツにして、前記複数の走査線に供給する前記走査信号を飛び越し走査させるライン飛越信号を出力し、前記映像信号が静止画である場合には、前記映像信号のフレーム周波数を６０ヘルツにして、前記複数の走査線に供給する前記走査信号をライン順次走査させるライン順次信号を出力するフレーム切換器と、
前記映像信号の１フレーム期間を前記各色光に対応させた赤、緑、青サブフレーム期間の３つに分割するとき、前記フレーム切換器から出力される前記ライン飛越信号或いは前記ライン順次信号に基づいて、前記映像信号の第１フレーム期間における前記赤サブフレーム期間では、前記走査信号が奇数の前記各走査線を走査するように、前記緑サブフレーム期間では、前記走査信号が偶数の前記各走査線を走査するように、前記青サブフレーム期間では、前記走査信号が奇数の前記各走査線を走査するようにし、前記映像信号の第２フレーム期間における前記赤サブフレーム期間では、前記走査信号が偶数の前記各走査線を走査するように、前記緑サブフレーム期間では、前記走査信号が奇数の前記各走査線を走査するように、前記青サブフレーム期間では、前記走査信号が偶数の前記走査線を走査するようにし、前記第１、第２フレーム期間における各サブフレーム期間の動作を繰り返すように、前記ゲートドライバを動作させると共に前記赤色、前記緑色、前記青色の表示データに同期した制御信号を前記バックライト駆動回路に出力する制御信号発生回路と、
を備えたことを特徴とする液晶表示装置。
【発明の詳細な説明】
【技術分野】
【０００１】
本発明は、赤色、緑色、青色の表示データに同期して３原色光のいずれかをバックライトから発光させてカラー表示を行うフィールドシーケンシャル方式の液晶表示装置に関するものである。
【背景技術】
【０００２】
液晶テレビ等に用いられる液晶表示装置には、高精細で、かつ光利用効率が高く、低消費電力であるなどの利点があることからフィールドシーケンシャル方式が検討されている。フィールドシーケンシャル方式の液晶表示装置では、赤（Ｒ）、緑（Ｇ）、青（Ｂ）の光源による発光色を切り換えて表示を行うため、視線移動の際、時間差がある３色の画像が人間の網膜上で同じ点に重ならないため、本来の画像とは異なる表示色が認識される色割れを生じるといった問題があった。この対策を解消する液晶表示装置が、特許文献１に記載されている。
【０００３】
特許文献１に記載されている液晶表示装置について図７を用いて説明する。
図７は、従来の液晶表示装置の表示制御を行うタイムチャートを示す図であり、（Ａ）は、バックライトの各色のＬＥＤの発光タイミングを示し、（Ｂ）は、液晶パネルの各ラインの走査タイミングを示し、（Ｃ）は、液晶パネルの発光状態を示す。
ここでは、動画表示の場合のフレーム周波数を１２０ヘルツとし、静止画表示の場合のフレーム周波数を６０ヘルツとする。即ち、動画表示の場合の１フレームの期間は、（１／１２０）秒である。そして、動画の１フレーム期間は、（１／３６０）秒毎に分割された赤サブフレーム（以下、Ｒサブフレームという）、緑サブフレーム（以下、Ｇサブフレームという）、青サブフレーム（以下、Ｂサブフレームという）からなる。静止画表示の場合の１フレームの期間は、（１／６０）秒である。１フレーム期間は、（１／１８０）秒毎に分割されたＲＧＢの３つのサブフレームからなる。
【０００４】
図７（Ａ）に示すように、ＲＧＢサブフレーム期間に同期させて、それぞれに対応するバックライトの赤緑青色用ＬＥＤを発光させる。
Ｒ，Ｇ，Ｂサブフレームの切り換え時間は、動画表示の場合のときは、（１／３６０）秒、静止画表示の場合のときは、（１/１８０）秒である。
【０００５】
図７（Ｂ）に示すように、Ｒサブフレームでは、動画表示の場合には、最初の（１／７２０）秒間でＲデータを第１ラインから最終ラインまで１ラインずつ順次データ書き込み走査を行った後、次の（１／７２０）秒間で第１ラインから最終ラインまで１ラインずつ順次データ消去走査を行い、静止画像の場合には、最初の（１／３６０）秒間でＲデータを第１ラインから最終ラインまで１ラインずつ順次データ書き込み走査を行った後、次の（１／３６０）秒間で第１ラインから最終ラインまで１ラインずつ順次データ消去走査を行う。Ｇサブフレーム及びＢサブフレームにも同様の操作を行う。
【０００６】
図７（Ｃ）に示すように、各データが書き込まれてから消去されるまでの間にバックライトから発光する各色光が液晶パネルを透過するようにして、色割れを抑制した画像表示が行われる。
【特許文献１】特開２００３−２９７２０号公報
【発明の開示】
【発明が解決しようとする課題】
【０００７】
ところで、一般的に、液晶テレビのような液晶表示装置の駆動回路に用いられる薄膜トランジスタ（ＴＦＴ）には、アモルファスシリコンによるＴＦＴが用いられるが、動画表示の場合のように、サブフレーム周波数を高くすることは、データ書き込み及び消去の際に用いられるＴＦＴのスイッチング速度を高速に行う必要がある。しかしながら、アモルファスシリコンによるＴＦＴの移動度は低いため高速化には限界があった。
また、サブフレーム周波数を高くすることは、各データが書き込まれてから消去されるまでの間が非常に短くなり、液晶パネルに十分な画像表示を行うことできなかった。
【０００８】
そこで、本発明は、上記問題を解決するべく、サブフレーム周波数を高くすることなく、十分な時間の画像表示が可能で、かつ色割れを低減するフィールドシーケンシャル方式の液晶表示装置を提供することを目的とするものである。
【課題を解決するための手段】
【０００９】
本発明は、基板上に縦横に形成された複数のデータ線と複数の走査線との交差部に設けられ、ソースが各データ線に、ゲートが各走査線に接続された複数のトランジスタと前記複数のトランジスタのソースを介して前記データ線から供給される前記赤色、前記緑色、前記青色の表示データの電圧により光透過率が変化する液晶層とを有する液晶パネルと、前記各データ線を介して前記赤色、前記緑色、前記青色の表示データを前記複数のトランジスタのソースに供給するソースドライバと、前記各走査線を介して走査信号を前記複数のトランジスタのゲートに供給するゲートドライバと、前記赤色、前記緑色、前記青色の表示データに同期して３原色光のいずれかをバックライトから発光させるバックライト駆動回路とを備えた液晶表示装置において、前記赤色、前記緑色、前記青色の表示データの基になる外部から入力される映像信号のフレーム間の動き量を検出して動画であるか静止画であるかを判定する動きレベル判定器と、前記映像信号が動画である場合には、前記映像信号のフレーム周波数を１２０ヘルツにして、前記複数の走査線に供給する前記走査信号を飛び越し走査させるライン飛越信号を出力し、前記映像信号が静止画である場合には、前記映像信号のフレーム周波数を６０ヘルツにして、前記複数の走査線に供給する前記走査信号をライン順次走査させるライン順次信号を出力するフレーム切換器と、前記映像信号の１フレーム期間を前記各色光に対応させた赤、緑、青サブフレーム期間の３つに分割するとき、前記フレーム切換器から出力される前記ライン飛越信号或いは前記ライン順次信号に基づいて、前記映像信号の第１フレーム期間における前記赤サブフレーム期間では、前記走査信号が奇数の前記各走査線を走査するように、前記緑サブフレーム期間では、前記走査信号が偶数の前記各走査線を走査するように、前記青サブフレーム期間では、前記走査信号が奇数の前記各走査線を走査するようにし、前記映像信号の第２フレーム期間における前記赤サブフレーム期間では、前記走査信号が偶数の前記各走査線を走査するように、前記緑サブフレーム期間では、前記走査信号が奇数の前記各走査線を走査するように、前記青サブフレーム期間では、前記走査信号が偶数の前記走査線を走査するようにし、前記第１、第２フレーム期間における各サブフレーム期間の動作を繰り返すように、前記ゲートドライバを動作させると共に前記赤色、前記緑色、前記青色の表示データに同期した制御信号を前記バックライト駆動回路に出力する制御信号発生回路と、を備えたことを特徴とする液晶表示装置を提供する。
【発明の効果】
【００１０】
本発明によれば、映像信号の１フレーム期間を赤、緑、青サブフレーム期間の３つに分割するとき、フレーム切換器から出力されるライン飛越信号或いは前記ライン順次信号に基づいて、映像信号の第１フレーム期間における赤サブフレーム期間では、走査信号が奇数の各走査線を走査するように、緑サブフレーム期間では、走査信号が偶数の各走査線を走査するように、青サブフレーム期間では、走査信号が奇数の各走査線を走査するようにし、映像信号の第２フレーム期間における赤サブフレーム期間では、走査信号が偶数の各走査線を走査するように、緑サブフレーム期間では、走査信号が奇数の各走査線を走査するように、青サブフレーム期間では、走査信号が偶数の走査線を走査するようにし、第１、第２フレーム期間における各サブフレーム期間の動作を繰り返すように、ゲートドライバを動作させると共に赤色、緑色、青色の表示データに同期した制御信号をバックライト駆動回路に出力する制御信号発生回路を有するので、サブフレーム周波数を高くすることなく、十分な時間の画像表示が可能で、かつ色割れが防止できる。
【発明を実施するための最良の形態】
【００１１】
以下、本発明の実施の形態について図面を参照して説明する。
図１は、本発明の実施の形態の液晶表示装置を示す概略図である。
図２は、液晶パネルの断面図である。
図３は、液晶パネルのガラス基板上に配列された配線を示す図である。
図４は、液晶表示装置の駆動方法を示す図である。
図５は、液晶表示装置の駆動方法を示すタイミングチャートである。
図６は、色割れの発生状況を示す図である。
ここでは、１フレームは、赤（Ｒ）サブフレーム、緑（Ｇ）サブフレーム、青（Ｂ）サブフレームの３分割された３つのサブフレームからなるとする。
【００１２】
図１に示すように、液晶表示装置１は、画像表示を行う液晶パネル２と、外部から供給される映像信号のフレーム間の動き量を検出して、その動き量の“大”、“小”の信号を判定する動きレベル判定器３と、このレベル判定器３で動き量のレベルが“大”と判定された場合には、フレーム周波数を１２０ヘルツにする信号と共にライン飛越信号を出力し、“小”と判定された場合には、フレーム周波数を６０ヘルツにする信号と共にライン順次信号を出力するフレーム切換器４と、このフレーム切換器４から出力されたライン順次信号或いはライン飛越信号に基づいて、ラッチ信号ＬＴ，フレーム信号ＦＬ，オッドイーブン信号ＯＥ、スキャンクロック信号ＳＣＫ及びＲＧＢ順次点灯制御信号を出力する制御信号発生回路５とから構成されている。ここで、上記した動き量のレベルが“大”の場合とは、動画の場合であり、“小”の場合とは、静止画の場合である。
【００１３】
更に、液晶表示装置１は、制御信号発生回路５から出力されたライン順次信号或いはライン飛越信号と外部から供給される映像信号に基づいて、液晶パネル２に表示を行うためのＲＧＢの表示データＳ1，Ｓ2，…，Ｓnを出力する映像信号処理回路６と、制御信号発生回路５から出力されるフレーム信号ＦＬ及びオッドイーブン信号ＯＥにより、奇数フレーム期間（或いは偶数フレーム期間）のフレーム信号ＦＬをハイ（或いはロー）にすると共に、この奇数フレーム期間（或いは偶数フレーム期間）の奇数サブフレーム期間となるＲ，Ｂサブフレーム期間（或いはＧサブフレーム期間）のオッドイーブン信号ＯＥをハイにし、Ｇサブフレーム期間（或いはＲ，Ｂサブフレーム期間）のオッドイーブン信号ＯＥをロー（或いはハイ）にし、ラッチ信号ＬＴがハイになるタイミングでＲ，Ｇ，Ｂサブフレームに対応した表示データＳ1，Ｓ2，…，Ｓnを更新して一時保持した後、順次出力するソースドライバ７とから構成されている。
ここで、ラッチ信号ＬＴは、映像信号処理回路６から出力される表示データＳ1，Ｓ2，…，Ｓnを一時保持する信号、フレーム信号ＦＬは、奇数フレーム期間或いは偶数フレーム期間を選択する信号、オッドイーブン信号ＯＥは、奇数のサブフレーム期間或いは偶数のサブフレーム期間を選択する信号である。
【００１４】
更にまた、液晶表示装置１は、制御信号発生回路５から出力されるフレーム信号ＦＬ及びオッドイーブン信号ＯＥにより、奇数フレーム期間（或いは偶数フレーム期間）のフレーム信号ＦＬをハイ（或いはロー）にすると共に、この奇数フレーム期間（或いは偶数フレーム期間）の奇数サブフレーム期間となるＲ，Ｂサブフレーム期間（或いはＧサブフレーム期間）のオッドイーブン信号ＯＥをハイにし、Ｇサブフレーム期間（或いはＲ，Ｂサブフレーム期間）のオッドイーブン信号ＯＥをロー（或いはハイ）にし、制御信号発生回路５から出力されるスキャンクロック信号ＳＣＫに基づいて、走査信号Ｌ1，Ｌ2，…，Ｌmを出力するゲートドライバ８と、ＲＧＢ光のいずれかを発光して、液晶パネル２を照明するバックライト９と、制御信号発生回路５から出力されるＲＧＢ順次点灯制御信号に基づいて、バックライト９にＲＧＢ光のいずれかを発光させるバックライト駆動回路１０とから構成されている。
【００１５】
図２に示すように、液晶パネル２は、ガラス基板１１上に複数の薄膜トランジスタ（以下、ＴＦＴ）１２及びこのＴＦＴ１２に接続された画素電極１３を有して、縦横に配列された複数の画素１４と、配向膜１５と、液晶層１６と、配向膜１７と、共通電極１８と、ガラス基板１９と、偏光板２０とが順次積層され、積層方向と反対側のガラス基板１１には、偏光板２１が形成されている。
【００１６】
更に、図３に示すように、ガラス基板１１上には、複数のデータ線２２1，２２2，…，２２n（ｎは正の数）と複数の走査線２３1，２３2，…，２３m（ｍは正の数）とが互いに直交するようにマトリクス状に形成され、これらのデータ線２２1，２２2，…，２２nと走査線２３1，２３2，…，２３mとの交差部には、複数のＴＦＴ１２と複数の画素電極１３とからなる画素１４が形成されている。
複数のＴＦＴ１２は、複数のソース１２1が複数のデータ線２２1，２２2，…，２２nに、複数のゲート１２2が複数の走査線２３1，２３2，…，２３mに接続され、複数のドレイン１２3が複数の画素電極１３に接続されている。
【００１７】
次に、その動作について図１に図４、図５を併せ用いて説明する。
以下では、動きレベル判定器３は、外部から供給される映像信号のフレーム間の動き量を“大”と判定し、フレーム切換器４は、フレーム周波数を１２０ヘルツにする信号を出力することにする。即ち、映像信号は、動画である。また、共通電極１８には、一定の電位が供給されているとする。
１フレームは、（１／３６０）秒毎に分割されたＲＧＢの３つのサブフレームからなるとする。
【００１８】
まずは、第１フレームの映像信号を液晶パネル２に表示させる場合について説明する。
図１に示すように、外部から供給される映像信号を動きレベル判定器３及び映像信号処理回路６に入力する。動きレベル判定器３からは、映像信号のフレーム間の動き量が“大”と判定する信号が出力される。フレーム切換器４は、動きレベル判定器３から出力された信号に基づいて、１２０ヘルツのフレーム周波数の信号を映像信号処理回路６へ、ライン飛越信号を制御信号発生回路５へ出力する。
【００１９】
映像信号処理回路６は、外部から供給される映像信号をフレーム切換器４から出力された１２０ヘルツのフレーム信号に基づいて、１２０ヘルツのフレーム周波数の表示データＳ1，Ｓ2，…，Ｓnとしてソースドライバ７に出力する。制御信号発生回路５は、ライン飛越信号に基づいて、ラッチ信号ＬＴ，フレーム信号ＦＬ，オッドイーブン信号ＯＥをソースドライバ７へ、スキャンクロック信号ＳＣＫ、フレーム信号ＦＬ，オッドイーブン信号ＯＥをゲートドライバ８へ、ＲＧＢ順次点灯制御信号をバックライト駆動回路１０へ出力する。
【００２０】
次に、図４に示すように、制御信号発生回路５から出力されたラッチ信号ＬＴがハイとなるタイミングでソースドライバ７に蓄積されている表示データＳ1，Ｓ2，…，Ｓnを更新することにより、Ｒサブフレーム期間では、データＲ1，Ｒ3，…とし、Ｇサブフレーム期間では、データＧ2,Ｇ4,…とし、Ｂサブフレーム期間では、データＢ1，Ｂ3，…とし、これらをソースドライバ７に一時保持する。
次に、制御信号発生回路５から出力されたフレーム信号ＦＬにより、第１フレーム期間におけるフレーム信号ＦＬをハイにする。そして、Ｒサブフレーム期間では、オッドイーブン信号をハイにし、Ｇサブフレーム期間では、オッドイーブン信号をローにし、Ｂサブフレーム期間では、オッドイーブン信号をハイにする。
【００２１】
（第１フレームのＲサブフレーム期間）
次に、図５（Ａ）に示すように、ソースドライバ７からＲの表示データＳ1，Ｓ2，…，Ｓnをデータ線２２1，２２2，…，２２nに出力した状態で、Ｒサブフレーム期間中、ゲートドライバ８から走査信号Ｌ1，Ｌ3，…を出力して、飛越走査により、奇数の走査線２３1，２３3，…に供給し、更にこれらの走査線２３1，２３3，…に接続された各ＴＦＴ１２の複数のゲート１２2に供給し、ＴＦＴ１２を順次オンさせ、Ｒの表示データＳ1，Ｓ2，…，Ｓnを複数の画素電極１３に供給し、Ｒの表示データＳ1，Ｓ2，…，Ｓnの電圧によって、液晶層１６の透過率を変化させて、複数の画素１４にデータの書き込みを行う。
この際のデータ書き込みの走査時間は、（１／７２０）秒である。
【００２２】
この後、Ｒの表示データＳ1，Ｓ2，…，Ｓnの代わりに、ソースドライバ７から共通電極１８（図２参照）と同電位のデータを、上記したと同様な手順を行って複数の画素１４に書き込んで、Ｒの表示データＳ1，Ｓ2，…，Ｓnを消去する。
【００２３】
次に、図５（Ｂ）に示すように、制御信号発生回路５から出力されるＲＧＢ順次点灯制御信号に基づいて、バックライト駆動回路１０からＲの表示データＳ1，Ｓ2，…，Ｓnに同期させたＲ光をバックライト９から出射させて液晶パネル２を照射する。こうして、液晶パネル２の奇数の走査線２３1，２３3…に接続されている画素電極１３を有する画素１４にＲ表示を行わせる。
【００２４】
次に、図５（Ｃ）に示すように、液晶パネル２から、奇数の走査線２３1，２３3…に接続されている画素電極１３を有する画素１４のみを発光させる。この際、偶数の走査線２３2，２３4…に接続されている画素電極１３を有する画素１４は、発光しない。
【００２５】
（第１フレームのＧサブフレーム期間）
次に、図５（Ａ）に示すように、ソースドライバ７からＧの表示データＳ1，Ｓ2，…Ｓnをデータ線２２1，２２2，…，２２nに出力した状態で、Ｇサブフレーム期間中、ゲートドライバ８から走査信号Ｌ2，Ｌ4，…を出力して、飛越走査により、偶数の走査線２３2，２３4，…に供給し、更にこれらの走査線２３2，２３4，…に接続された各ＴＦＴ１２の複数のゲート１２2に供給し、ＴＦＴ１２を順次オンさせ、Ｇの表示データＳ1，Ｓ2，…，Ｓnを複数の画素電極１３に供給し、Ｇの表示データＳ1，Ｓ2，…，Ｓnの電圧によって、液晶層１６の透過率を変化させて、複数の画素１４にデータ書き込みを行う。
この際のデータ書き込みの走査時間は、（１／７２０）秒である。
【００２６】
この後、Ｇの表示データＳ1，Ｓ2，…，Ｓnの代わりに、ソースドライバ７から共通電極１８（図２参照）と同電位のデータを、上記したと同様な手順を行って複数の画素１４に書き込んで、Ｇの表示データＳ1，Ｓ2，…，Ｓnを消去する。
【００２７】
次に、図５（Ｂ）に示すように、制御信号発生回路５から出力されるＲＧＢ順次点灯制御信号に基づいて、バックライト駆動回路１０からＧの表示データＳ1，Ｓ2，…，Ｓnに同期させたＧ光をバックライト９から出射させて液晶パネル２に照射する。こうして、液晶パネル２の偶数の走査線２３2，２３4，…に接続されている画素電極１３を有する画素１４にＧ表示を行わせる。
【００２８】
次に、図５（Ｃ）に示すように、液晶パネル２から、偶数の走査線２３2，２３4，…に接続されている画素電極１３を有する画素１４のみを発光させる。この際、奇数の走査線２３1，２３3，…に接続されている画素電極１３を有する画素１４は、発光しない。
【００２９】
（第１フレームのＢサブフレーム期間）
次に、図５（Ａ）に示すように、ソースドライバ７からＢの表示データＳ1，Ｓ2，…Ｓnをデータ線２２1，２２2，…，２２nに出力した状態で、Ｂサブフレーム期間中、ゲートドライバ８から走査信号Ｌ1，Ｌ3，…を出力して、飛越走査により、奇数の走査線２３1，２３3，…に供給し、更にこれらの走査線２３1，２３3，…に接続された各ＴＦＴ１２の複数のゲート１２2に供給し、ＴＦＴ１２を順次オンさせ、Ｂの表示データＳ1，Ｓ2，…，Ｓnを複数の画素電極１３に供給し、Ｂの表示データＳ1，Ｓ2，…，Ｓnの電圧によって、液晶層１６の透過率を変化させて、複数の画素１４にデータ書き込みを行う。
この際のデータ書き込みの走査時間は、（１／７２０）秒である。
【００３０】
この後、Ｂの表示データＳ1，Ｓ2，…，Ｓnの代わりに、ソースドライバ７から共通電極１８（図２参照）と同電位のデータを、上記したと同様な手順を行って複数の画素１４に書き込んで、Ｂの表示データＳ1，Ｓ2，…，Ｓnを消去する。
【００３１】
次に、図５（Ｂ）に示すように、制御信号発生回路５から出力されるＲＧＢ順次点灯制御信号に基づいて、バックライト駆動回路１０からＢの表示データＳ1，Ｓ2，…，Ｓnに同期させたＢ光をバックライト９から出射させて液晶パネル２を照射する。こうして、液晶パネル２の奇数の走査線２３1，２３3，…に接続されている画素電極１３を有する画素１４にＢ表示を行わせる。
【００３２】
次に、図５（Ｃ）に示すように、液晶パネル２からは、奇数の走査線２３1，２３3，…に接続されている画素電極１３を有する画素１４のみを発光させる。この際、偶数の走査線２３2，２３4，…に接続されている画素電極１３を有する画素１４は、発光しない。
こうして、第１フレームのＲＧＢ画像を液晶パネル２に表示する。
【００３３】
次に、第２フレームの映像信号を液晶パネル２に表示させる場合について説明する。
図４に示すように、制御信号発生回路５から出力されたラッチ信号ＬＴがハイとなるタイミングでソースドライバ７に蓄積されている表示データＳ1，Ｓ2，…，Ｓnを更新して、Ｒサブフレーム期間では、Ｒ2，Ｒ4，…とし、Ｇサブフレーム期間では、Ｇ1,Ｇ3,…とし、Ｂサブフレーム期間では、Ｂ2，Ｂ4，…とし、これらをソースドライバ７に一時保持する。
次に、制御信号発生回路５から出力されたフレーム信号ＦＬにより、第２フレーム期間におけるフレーム信号ＦＬをハイにする。そして、Ｒサブフレーム期間では、オッドイーブン信号をローにし、Ｇサブフレーム期間では、オッドイーブン信号をハイにし、Ｂサブフレーム期間では、オッドイーブン信号をローにする。
【００３４】
（第２フレームのＲサブフレーム期間）
次に、図５（Ａ）に示すように、ソースドライバ７からＲの表示データＳ1，Ｓ2，…Ｓnをデータ線２２1，２２2，…，２２nに出力した状態で、Ｒサブフレーム期間中、ゲートドライバ８から走査信号Ｌ2，Ｌ4，…を出力して、飛越走査により、偶数の走査線２３2，２３4，…に供給し、更にこれらの走査線２３2，２３4，…に接続された各ＴＦＴ１２の複数のゲート１２2に供給し、ＴＦＴ１２を順次オンさせ、Ｒの表示データＳ1，Ｓ2，…，Ｓnを複数の画素電極１３に供給し、Ｒの表示データＳ1，Ｓ2，…，Ｓnの電圧によって、液晶層１６の透過率を変化させて、複数の画素１４にデータ書き込みを行う。
この際のデータ書き込みの走査時間は、（１／７２０）秒である。
【００３５】
この後、Ｒの表示データＳ1，Ｓ2，…，Ｓnの代わりに、ソースドライバ７から共通電極１８（図２参照）と同電位のデータを、上記したと同様な手順を行って複数の画素１４に書き込んで、Ｒの表示データＳ1，Ｓ2，…，Ｓnを消去する。
【００３６】
次に、図５（Ｂ）に示すように、制御信号発生回路５から出力されるＲＧＢ順次点灯制御信号に基づいて、バックライト駆動回路１０からＲの表示データＳ1，Ｓ2，…，Ｓnに同期させたＲ光をバックライト９から出射させて液晶パネル２を照射する。こうして、液晶パネル２の偶数の走査線２３2，２３4，…に接続されている画素電極１３を有する画素１４にＲ表示を行わせる。
【００３７】
次に、図５（Ｃ）に示すように、液晶パネル２から、偶数の走査線２３2，２３4，…に接続されている画素電極１３を有する画素１４のみを発光させる。この際、奇数の走査線２３1，２３3，…に接続されている画素電極１３を有する画素１４は、発光しない。
【００３８】
（第２フレームのＧサブフレーム期間）
次に、図５（Ａ）に示すように、ソースドライバ７からＧの表示データＳ1，Ｓ2，…Ｓnをデータ線２２1，２２2，…，２２nに出力した状態で、Ｇサブフレーム期間中、ゲートドライバ８から走査信号Ｌ1，Ｌ3，…を出力して、飛越走査により、奇数の走査線２３1，２３3，…に供給し、更にこれらの走査線２３1，２３3，…に接続された各ＴＦＴ１２の複数のゲート１２2に供給し、ＴＦＴ１２を順次オンさせ、Ｇの表示データＳ1，Ｓ2，…，Ｓnを複数の画素電極１３に供給し、Ｇの表示データＳ1，Ｓ2，…，Ｓnの電圧によって、液晶層１６の透過率を変化させて、複数の画素１４にデータ書き込みを行う。
この際のデータ書き込みの走査時間は、（１／７２０）秒である。
【００３９】
この後、Ｇの表示データＳ1，Ｓ2，…，Ｓnの代わりに、ソースドライバ７から共通電極１８（図２参照）と同電位のデータを、上記したと同様な手順を行って複数の画素１４に書き込んで、Ｇの表示データＳ1，Ｓ2，…，Ｓnを消去する。
【００４０】
次に、図５（Ｂ）に示すように、制御信号発生回路５から出力されるＲＧＢ順次点灯制御信号に基づいて、バックライト駆動回路１０からＧの表示データＳ1，Ｓ2，…，Ｓnに同期させたＧ光をバックライト９のＧ発光部から出射させて液晶パネル２に照射する。こうして、液晶パネル２の奇数の走査線２３1，２３3，…に接続されている画素電極１３を有する画素１４にＧ表示を行わせる。
【００４１】
次に、図５（Ｃ）に示すように、液晶パネル２から、奇数の走査線２３1，２３3，…に接続されている画素電極１３を有する画素１４のみを発光させる。この際、偶数の走査線２３2，２３4，…に接続されている画素電極１３を有する画素１４は、発光しない。
【００４２】
（第２フレームのＢサブフレーム期間）
次に、図５（Ａ）に示すように、ソースドライバ７からＢの表示データＳ1，Ｓ2，…Ｓnをデータ線２２1，２２2，…，２２nに出力した状態で、Ｂサブフレーム期間中、ゲートドライバ８から走査信号Ｌ2，Ｌ4，…を出力して、飛越走査により、偶数の走査線２３2，２３4，…に供給し、更にこれらの走査線２３2，２３4，…に接続された各ＴＦＴ１２の複数のゲート１２2に供給し、ＴＦＴ１２を順次オンさせ、Ｂの表示データＳ1，Ｓ2，…，Ｓnを複数の画素電極１３に供給し、Ｂの表示データＳ1，Ｓ2，…，Ｓnの電圧によって、液晶層１６の透過率を変化させて、複数の画素１４にデータ書き込みを行う。
この際のデータ書き込みの走査時間は、（１／７２０）秒である。
【００４３】
この後、Ｂの表示データＳ1，Ｓ2，…，Ｓnの代わりに、ソースドライバ７から共通電極１８（図２参照）と同電位のデータを、上記したと同様な手順を行って画素１４に書き込んで、Ｂの表示データＳ1，Ｓ2，…，Ｓnを消去する。
【００４４】
次に、図５（Ｂ）に示すように、制御信号発生回路５から出力されるＲＧＢ順次点灯制御信号に基づいて、バックライト駆動回路１０からＢの表示データＳ1，Ｓ2，…，Ｓnに同期させたＢ光をバックライト９から出射させて液晶パネル２を照射する。こうして、液晶パネル２の偶数の走査線２３2，２３4，…に接続されている画素電極１３を有する画素１４にＢ表示を行わせる。
【００４５】
次に、図５（Ｃ）に示すように、液晶パネル２から、偶数の走査線２３2，２３4，…に接続されている画素電極１３を有する画素１４のみを発光させる。この際、奇数２３1，２３3，…の走査線に接続されている画素電極１３を有する画素１４は、発光しない。
こうして、第２フレームのＲＧＢ画像を液晶パネル２に表示する。
以下、奇数フレームでは、第１フレームと同様にして、偶数フレームでは、第２フレームと同様にして、行うことができる。
本発明の実施の形態では、外部から入力される映像信号の画像は、第１フレーム期間と第２フレーム期間における各サブフレーム期間での動作を繰り返すことにより表示される。
【００４６】
この結果、図６（Ａ），（Ｂ）に示すように、従来例に示す図６（Ｂ）よりも本発明に示す図６（Ａ）の方が色割れは、大幅に低減される。
映像信号の１フレーム期間を（１／３６０）秒毎に分割したＲ、Ｇ、Ｂサブフレーム期間により構成し、フレーム切換器４から出力されるライン飛越信号に基づいて、映像信号の第１フレーム期間におけるＲ，Ｂサブフレーム期間では、走査信号Ｌ1，Ｌ3，…が奇数の走査線２３1，２３3，…を走査するように、Ｇサブフレーム期間では、走査信号Ｌ2，Ｌ4，…が偶数の走査線２３2，２３4，…を走査するようにし、映像信号の第２フレーム期間におけるＲ,Ｂサブフレーム期間では、走査信号Ｌ2，Ｌ4，…が偶数の走査線２３2，２３4，…を走査するように、Ｇサブフレーム期間では、走査信号Ｌ1，Ｌ3，…が奇数の走査線２３1，２３3，…を走査するようにし、第１，第２フレーム期間におけるＲ，Ｇ，Ｂサブフレーム期間の動作を繰り返すように、ゲートドライバ８を動作させると共にＲ，Ｇ，Ｂの表示データＳ1，Ｓ2，…，Ｓnに同期した制御信号をバックライト駆動回路１０に出力する制御信号発生回路５を有しているので、ＴＦＴ１２のスイッチング速度は２フレームに１回の割合で済むため、安定動作をさせることができ、十分な時間の画像表示が可能で、かつ色割れを低減できる。
【図面の簡単な説明】
【００４７】
【図１】本発明の実施の形態の液晶表示装置を示す概略図である。
【図２】液晶パネルの断面図である。
【図３】液晶パネルのガラス基板上に配列された配線を示す図である。
【図４】液晶表示装置の駆動方法を示す図である。
【図５】液晶表示装置の駆動方法を示すタイミングチャートである。
【図６】色割れの発生状況を示す図である。
【図７】従来の液晶表示装置の表示制御を行うタイムチャートを示す図であり、（Ａ）は、バックライトの各色のＬＥＤの発光タイミングを示し、（Ｂ）は、液晶パネルの各ラインの走査タイミングを示し、（Ｃ）は、液晶パネルの発光状態を示す。
【符号の説明】
【００４８】
１…液晶表示装置、２…液晶パネル、３…動きレベル判定器、４…フレーム切換器、５…制御信号発生回路、６…映像信号処理回路、７…ソースドライバ、８…ゲートドライバ、９…バックライト、１０…バックライト駆動回路、１１，１９…ガラス基板、１２…薄膜トランジスタ、１３…画素電極、１４…画素、１５，１７…配向膜、１６…液晶層、１８…共通電極、２０，２１…偏光板、２２1，２２2，…，２２n…データ線、２３1，２３2，…，２３m…走査線
【図１】
2008033107.tif 000003
【図２】
2008033107.tif 000004
【図３】
2008033107.tif 000005
【図４】
2008033107.tif 000006
【図５】
2008033107.tif 000007
【図６】
2008033107.tif 000008
【図７】
2008033107.tif 000009